【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
通信フレームの複数のタイムスロットを共有する複数のユーザ装置の間で符号分割多重アクセス(CDMA)システムにおいて複数のチップレートをサポートする方法であって、
タイムスロット毎又は通信フレーム毎のユーザ装置のチップレート機能に基づいて、前記複数のチップレートのうち第１のもので、前記フレームの前記複数のタイムスロットのうち少なくとも第１のものをユーザ装置に割り当てることを有する方法。
【請求項２】
請求項１に記載の方法であって、
前記システムにより、前記複数のチップレートのうち少なくとも１つにより使用される特別のタイムスロットを割り当てることを更に特徴とする方法。
【請求項３】
請求項１又は２に記載の方法であって、
前記ユーザ装置は、複数のチップレートで動作可能である方法。
【請求項４】
請求項１ないし３のうちいずれか１項に記載の方法であって、
前記複数のチップレートは、最低のサポートされているチップレートの整数の倍数である方法。
【請求項５】
請求項１ないし４のうちいずれか１項に記載の方法であって、
前記ユーザ装置により、割り当てられたタイムスロットのチップレートを自発的に検出することを更に特徴とする方法。
【請求項６】
請求項１ないし５のうちいずれか１項に記載の方法であって、
前記フレームは、前記複数のタイムスロットのうち少なくとも１つにビーコンデータを有する方法。
【請求項７】
請求項１ないし６のうちいずれか１項に記載の方法であって、
前記ビーコンデータは、前記複数のチップレートのうち最低のもので動作する前記複数のタイムスロットのうちの１つにある方法。
【請求項８】
請求項１ないし５のうちいずれか１項に記載の方法であって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有する方法。
【請求項９】
請求項１ないし８のうちいずれか１項に記載の方法であって、
前記複数のチップレートのうち前記第１のもの及び第２のものは、相互に独立して制御される方法。
【請求項１０】
請求項１ないし８のうちいずれか１項に記載の方法であって、
前記複数のチップレートのうち前記第１のもの及び第２のものは、共通に制御される方法。
【請求項１１】
請求項１ないし１０のうちいずれか１項に記載の方法であって、
前記第１のチップレートで動作するフレームで、前記複数のタイムスロットのうち前記少なくとも第１のものの複数のインスタンスを伝送することを有する方法。
【請求項１２】
請求項１１に記載の方法であって、
前記複数のインスタンスは、周波数ドメインで分かれている方法。
【請求項１３】
請求項１１又は１２に記載の方法であって、
前記複数のインスタンスの数は、前記第１のチップレートのシステムの帯域に対する前記第２のチップレートのシステムの帯域の比率に比例する方法。
【請求項１４】
請求項１ないし１３のうちいずれか１項に記載の方法であって、
前記第１のチップレートのシステムは、前記第２のチップレートのシステムと実質的に同じキャリア周波数で動作する方法。
【請求項１５】
請求項１ないし１４のうちいずれか１項に記載の方法であって、
ブロードキャストシグナリングを介してタイムスロットのパラメータを前記ユーザ装置に伝送することを更に有する方法。
【請求項１６】
請求項１５に記載の方法であって、
前記システムは、UMTS  TDDシステムであり、
タイムスロットのパラメータを前記ユーザ装置に伝送するステップは、システム情報ブロックでブロードキャストされる信号を伝送することを有する方法。
【請求項１７】
請求項１ないし１４のうちいずれか１項に記載の方法であって、
ポイント・ツー・ポイント・シグナリングを介してタイムスロットのパラメータを前記ユーザ装置に伝送することを更に有する方法。
【請求項１８】
請求項１７に記載の方法であって、
前記ポイント・ツー・ポイント・シグナリングは、単一の割り当てのタイムスロットパラメータを定める方法。
【請求項１９】
請求項１７に記載の方法であって、
前記ポイント・ツー・ポイント・シグナリングは、複数の割り当てのタイムスロットパラメータを定める方法。
【請求項２０】
請求項１７に記載の方法であって、
前記システムは、UMTS  TDDシステムを有し、
前記ポイント・ツー・ポイント・シグナリングは、無線リソース制御(RRC)メッセージで運ばれる方法。
【請求項２１】
請求項１７に記載の方法であって、
前記システムは、UMTS  TDDシステムを有し、
前記ポイント・ツー・ポイント・シグナリングは、媒体アクセス制御(MAC)メッセージで運ばれる方法。
【請求項２２】
請求項１７に記載の方法であって、
前記システムは、UMTS  TDDシステムを有し、
前記ポイント・ツー・ポイント・シグナリングは、物理レイヤメッセージで運ばれる方法。
【請求項２３】
請求項１ないし２２のうちいずれか１項に記載の方法であって、
伝送フレームを受信するユーザ装置が、タイムスロットに適用されるチップレートを通知される方法。
【請求項２４】
通信フレームの複数のタイムスロットを共有する複数のユーザ装置の間で複数のチップレートをサポートする符号分割多重アクセス(CDMA)システムであって、
タイムスロット毎又は通信フレーム毎のユーザ装置のチップレート機能に基づいて、前記複数のチップレートのうち第１のもので、前記フレームの前記複数のタイムスロットのうち少なくとも第１のものをユーザ装置に割り当てる手段
を有するCDMAシステム。
【請求項２５】
請求項２４に記載のCDMAシステムであって、
前記システムは、前記複数のチップレートのうち少なくとも１つにより動作する特別のタイムスロットを割り当てるCDMAシステム。
【請求項２６】
請求項２４又は２５に記載のCDMAシステムであって、
前記ユーザ装置は、複数のチップレートで動作可能であるCDMAシステム。
【請求項２７】
請求項２４ないし２６のうちいずれか１項に記載のCDMAシステムであって、
前記複数のチップレートは、最低のサポートされているチップレートの整数の倍数であるCDMAシステム。
【請求項２８】
請求項２４ないし２７のうちいずれか１項に記載のCDMAシステムであって、
前記ユーザ装置は、割り当てられたタイムスロットのチップレートを自発的に検出するCDMAシステム。
【請求項２９】
請求項２４ないし２８のうちいずれか１項に記載のCDMAシステムであって、
前記フレームは、前記複数のタイムスロットのうち少なくとも１つにビーコンデータを有するCDMAシステム。
【請求項３０】
請求項２４ないし２９のうちいずれか１項に記載のCDMAシステムであって、
前記ビーコンデータは、前記複数のチップレートのうち最低のもので動作する前記複数のタイムスロットのうちの１つにあるCDMAシステム。
【請求項３１】
請求項２４ないし２８のうちいずれか１項に記載のCDMAシステムであって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有するCDMAシステム。
【請求項３２】
請求項２４ないし３１のうちいずれか１項に記載のCDMAシステムであって、
前記複数のチップレートのうち前記第１のもの及び第２のものは、相互に独立して制御されるCDMAシステム。
【請求項３３】
請求項２４ないし３１のうちいずれか１項に記載のCDMAシステムであって、
前記複数のチップレートのうち前記第１のもの及び第２のものは、共通に制御されるCDMAシステム。
【請求項３４】
請求項２４ないし３３のうちいずれか１項に記載のCDMAシステムであって、
ネットワークから前記システムのユーザ装置に信号を伝送する手段は、前記第１のチップレートで動作するフレームで、前記複数のタイムスロットのうち前記少なくとも第１のものの複数のインスタンスを伝送する手段を有するCDMAシステム。
【請求項３５】
請求項３４に記載のCDMAシステムであって、
前記複数のインスタンスは、周波数ドメインで分かれているCDMAシステム。
【請求項３６】
請求項３４又は３５に記載のCDMAシステムであって、
前記複数のインスタンスの数は、前記第１のチップレートのシステムの帯域に対する前記第２のチップレートのシステムの帯域の比率に比例するCDMAシステム。
【請求項３７】
請求項２４ないし３６のうちいずれか１項に記載のCDMAシステムであって、
前記第１のチップレートのシステムは、前記第２のチップレートのシステムと実質的に同じキャリア周波数で動作するCDMAシステム。
【請求項３８】
請求項２４ないし３７のうちいずれか１項に記載のCDMAシステムであって、
ブロードキャストシグナリングを介してタイムスロットのパラメータを前記ユーザ装置に伝送する手段を更に有するCDMAシステム。
【請求項３９】
請求項３８に記載のCDMAシステムであって、
前記システムは、UMTS  TDDシステムであり、
タイムスロットのパラメータを前記ユーザ装置に伝送する手段は、システム情報ブロックでブロードキャストされる信号を伝送する手段を有するCDMAシステム。
【請求項４０】
請求項２４ないし３７のうちいずれか１項に記載のCDMAシステムであって、
ポイント・ツー・ポイント・シグナリングを介してタイムスロットのパラメータを前記ユーザ装置に伝送する手段を更に有するCDMAシステム。
【請求項４１】
請求項４０に記載のCDMAシステムであって、
前記ポイント・ツー・ポイント・シグナリングは、単一の割り当てのタイムスロットパラメータを定めるCDMAシステム。
【請求項４２】
請求項４０に記載のCDMAシステムであって、
前記ポイント・ツー・ポイント・シグナリングは、複数の割り当てのタイムスロットパラメータを定めるCDMAシステム。
【請求項４３】
請求項４０に記載のCDMAシステムであって、
前記システムは、UMTS  TDDシステムを有し、
前記ポイント・ツー・ポイント・シグナリングは、無線リソース制御(RRC)メッセージで運ばれるCDMAシステム。
【請求項４４】
請求項４０に記載のCDMAシステムであって、
前記システムは、UMTS  TDDシステムを有し、
前記ポイント・ツー・ポイント・シグナリングは、媒体アクセス制御(MAC)メッセージで運ばれるCDMAシステム。
【請求項４５】
請求項４０に記載のCDMAシステムであって、
前記システムは、UMTS  TDDシステムを有し、
前記ポイント・ツー・ポイント・シグナリングは、物理レイヤメッセージで運ばれるCDMAシステム。
【請求項４６】
請求項２４ないし４５のうちいずれか１項に記載のCDMAシステムであって、
前記ユーザ装置は、タイムスロットに適用されるチップレートを通知されるCDMAシステム。
【請求項４７】
通信フレームの複数のタイムスロットを共有する複数のユーザ装置の間で複数のチップレートをサポートする符号分割多重アクセス(CDMA)システムで使用される基地局であって、
タイムスロット毎又は通信フレーム毎のユーザ装置のチップレート機能に基づいて、前記複数のチップレートのうち第１のもので、前記フレームの前記複数のタイムスロットのうち少なくとも第１のものをユーザ装置に割り当てる手段
を有する基地局。
【請求項４８】
請求項４７に記載の基地局であって、
前記基地局は、前記複数のチップレートのうち少なくとも１つにより動作する特別のタイムスロットを割り当てる基地局。
【請求項４９】
請求項４７又は４８に記載の基地局であって、
前記ユーザ装置は、複数のチップレートで動作可能である基地局。
【請求項５０】
請求項４７ないし４９のうちいずれか１項に記載の基地局であって、
前記複数のチップレートは、最低のサポートされているチップレートの整数の倍数である基地局。
【請求項５１】
請求項４７ないし５０のうちいずれか１項に記載の基地局であって、
前記ユーザ装置は、割り当てられたタイムスロットのチップレートを自発的に検出する基地局。
【請求項５２】
請求項４７ないし５１のうちいずれか１項に記載の基地局であって、
前記フレームは、前記複数のタイムスロットのうち少なくとも１つにビーコンデータを有する基地局。
【請求項５３】
請求項４７ないし５２のうちいずれか１項に記載の基地局であって、
前記ビーコンデータは、前記複数のチップレートのうち最低のもので動作する前記複数のタイムスロットのうちの１つにある基地局。
【請求項５４】
請求項４７ないし５１のうちいずれか１項に記載の基地局であって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有する基地局。
【請求項５５】
請求項４７ないし５４のうちいずれか１項に記載の基地局であって、
前記複数のチップレートのうち前記第１のもの及び第２のものは、相互に独立して制御される基地局。
【請求項５６】
請求項４７ないし５４のうちいずれか１項に記載の基地局であって、
前記複数のチップレートのうち前記第１のもの及び第２のものは、共通に制御される基地局。
【請求項５７】
請求項４７ないし５６のうちいずれか１項に記載の基地局であって、
前記基地局から前記システムの前記ユーザ装置に信号を伝送する手段は、前記第１のチップレートで動作するフレームで、前記複数のタイムスロットのうち前記少なくとも第１のものの複数のインスタンスを伝送する手段を有する基地局。
【請求項５８】
請求項５７に記載の基地局であって、
前記複数のインスタンスは、周波数ドメインで分かれている基地局。
【請求項５９】
請求項５７又は５８に記載の基地局であって、
前記複数のインスタンスの数は、前記第１のチップレートのシステムの帯域に対する前記第２のチップレートのシステムの帯域の比率に比例する基地局。
【請求項６０】
請求項４７ないし５９のうちいずれか１項に記載の基地局であって、
前記第１のチップレートのシステムは、前記第２のチップレートのシステムと実質的に同じキャリア周波数で動作する基地局。
【請求項６１】
請求項４７ないし６０のうちいずれか１項に記載の基地局であって、
ブロードキャストシグナリングを介してタイムスロットのパラメータを前記ユーザ装置に伝送する手段を更に有する基地局。
【請求項６２】
請求項６１に記載の基地局であって、
前記システムは、UMTS  TDDシステムであり、
タイムスロットのパラメータを前記ユーザ装置に伝送する手段は、システム情報ブロックでブロードキャストされる信号を伝送する手段を有する基地局。
【請求項６３】
請求項４７ないし６０のうちいずれか１項に記載の基地局であって、
ポイント・ツー・ポイント・シグナリングを介してタイムスロットのパラメータを前記ユーザ装置に伝送する手段を更に有する基地局。
【請求項６４】
請求項６３に記載の基地局であって、
前記ポイント・ツー・ポイント・シグナリングは、単一の割り当てのタイムスロットパラメータを定める基地局。
【請求項６５】
請求項６３に記載の基地局であって、
前記ポイント・ツー・ポイント・シグナリングは、複数の割り当てのタイムスロットパラメータを定める基地局。
【請求項６６】
請求項６３に記載の基地局であって、
前記システムは、UMTS  TDDシステムを有し、
前記ポイント・ツー・ポイント・シグナリングは、無線リソース制御(RRC)メッセージで運ばれる基地局。
【請求項６７】
請求項６３に記載の基地局であって、
前記システムは、UMTS  TDDシステムを有し、
前記ポイント・ツー・ポイント・シグナリングは、媒体アクセス制御(MAC)メッセージで運ばれる基地局。
【請求項６８】
請求項６３に記載の基地局であって、
前記システムは、UMTS  TDDシステムを有し、
前記ポイント・ツー・ポイント・シグナリングは、物理レイヤメッセージで運ばれる基地局。
【請求項６９】
通信フレームの複数のタイムスロットを共有する複数のユーザ装置の間で複数のチップレートをサポートするCDMAシステムで使用されるユーザ装置であって、
タイムスロット毎又は通信フレーム毎に前記ユーザ装置を検出する基地局から、前記ユーザ装置のチップレート機能に基づいて前記複数のチップレートのうち第１のものをサポートする前記複数のタイムスロットのうち少なくとも第１のものへの信号を受信する手段
を有するユーザ装置。
【請求項７０】
請求項６９に記載のユーザ装置であって、
前記複数のチップレートのうち前記第１のもので、前記複数のタイムスロットのうち１つの所定の情報を受信フレームで検出する手段と、
前記ユーザ装置が前記複数のチップレートのうち第２のもので動作可能であることを示す信号を前記基地局に伝送する手段と
を更に有するユーザ装置。
【請求項７１】
請求項７０に記載のユーザ装置であって、
前記基地局に信号を伝送する手段は、前記ユーザ装置が前記複数のチップレートのうち前記第１のものと前記複数のチップレートのうち第２のものとの双方で動作可能であることを示す信号を前記基地局に伝送する手段を有するユーザ装置。
【請求項７２】
請求項６９ないし７１のうちいずれか１項に記載のユーザ装置であって、
前記ユーザ装置は、最低のサポートされているチップレートのサポートを最初に対象とするユーザ装置。
【請求項７３】
請求項６９ないし７２のうちいずれか１項に記載のユーザ装置であって、
前記ユーザ装置は、TDD  3GPP  UMTSシステムで動作可能であるユーザ装置。
【請求項７４】
請求項６９ないし７３のうちいずれか１項に記載のユーザ装置であって、
前記複数のチップレートは、最低のサポートされているチップレートの整数の倍数であるユーザ装置。
【請求項７５】
請求項７４に記載のユーザ装置であって、
前記複数のチップレートのうち前記第１のものは、実質的に3.84Mcpsであり、
前記複数のチップレートのうち前記第２のものは、実質的に7.68Mcpsであるユーザ装置。
【請求項７６】
請求項７０ないし７４のうちいずれか１項に記載のユーザ装置であって、
前記所定の情報はビーコンデータを有するユーザ装置。
【請求項７７】
請求項７６に記載のユーザ装置であって、
前記ビーコンデータは、前記複数のチップレートのうち最低のもので動作する前記複数のタイムスロットのうちの１つにあるユーザ装置。
【請求項７８】
請求項６９ないし７７のうちいずれか１項に記載のユーザ装置であって、
前記ユーザ装置は、高チップレートのタイムスロットと低チップレートのタイムスロットとを同じフレームで受信するように適合されたユーザ装置。
【請求項７９】
請求項６９ないし７８のうちいずれか１項に記載のユーザ装置であって、
ブロードキャストシグナリングを介してタイムスロットのパラメータを前記基地局から受信する手段を更に有するユーザ装置。
【請求項８０】
請求項７９に記載のユーザ装置であって、
前記システムは、UMTS  TDDシステムであり、
タイムスロットのパラメータを前記基地局から受信する手段は、システム情報ブロックでブロードキャストされる信号を伝送する手段を有するユーザ装置。
【請求項８１】
請求項６９ないし８０のうちいずれか１項に記載のユーザ装置であって、
ポイント・ツー・ポイント・シグナリングを介してタイムスロットのパラメータを前記基地局から受信する手段を更に有するユーザ装置。
【請求項８２】
請求項８１に記載のユーザ装置であって、
前記ポイント・ツー・ポイント・シグナリングは、単一の割り当てのタイムスロットパラメータを定めるユーザ装置。
【請求項８３】
請求項８１に記載のユーザ装置であって、
前記ポイント・ツー・ポイント・シグナリングは、複数の割り当てのタイムスロットパラメータを定めるユーザ装置。
【請求項８４】
請求項８１に記載のユーザ装置であって、
前記システムは、UMTS  TDDシステムを有し、
前記ポイント・ツー・ポイント・シグナリングは、無線リソース制御(RRC)メッセージで運ばれるユーザ装置。
【請求項８５】
請求項８１に記載のユーザ装置であって、
前記システムは、UMTS  TDDシステムを有し、
前記ポイント・ツー・ポイント・シグナリングは、媒体アクセス制御(MAC)メッセージで運ばれるユーザ装置。
【請求項８６】
請求項８１に記載のユーザ装置であって、
前記システムは、UMTS  TDDシステムを有し、
前記ポイント・ツー・ポイント・シグナリングは、物理レイヤメッセージで運ばれるユーザ装置。
【請求項８７】
請求項６９ないし８６のうちいずれか１項に記載のユーザ装置であって、
前記ユーザ装置は、タイムスロットに適用されるチップレートを自発的に決定するように適合されるユーザ装置。
【請求項８８】
請求項１ないし２３のうちいずれか１項に記載の方法を実質的に実行するコンピュータプログラム手段を有するコンピュータプログラム要素。
【請求項８９】
請求項４７ないし６８のうちいずれか１項に記載の基地局において、信号を伝送する手段と、前記複数のタイムスロットのうち少なくとも第１のものを動作する手段と、前記複数のタイムスロットのうち少なくとも第２のものを動作する手段とを実質的に有する集積回路、又は請求項６９ないし８７のうちいずれか１項に記載のユーザ装置において、信号を受信する手段を実質的に有する集積回路。
【請求項９０】
添付図面を参照して実質的に記載した符号分割多重アクセス(CDMA)システムにおいて複数のチップレートをサポートする方法。
【請求項９１】
添付図面を参照して実質的に記載した複数のチップレートをサポートする符号分割多重アクセス(CDMA)システム。
【請求項９２】
添付図面を参照して実質的に記載した複数のチップレートをサポートする符号分割多重アクセス(CDMA)システムで使用される基地局。
【請求項９３】
添付図面を参照して実質的に記載した複数のチップレートをサポートする符号分割多重アクセス(CDMA)システムで使用されるユーザ装置。